(57)【要約】  キュベットが、標準マイクロフュージ内に配置されるように一端が円筒状の形状となっており、遠心分離によって望ましくない汚染物質を特に取り除くように設計されている。キュベットの下部は、直接分析用に液体を収集するように実質的により小さい形状となっており、液体試料からの照射の吸収及び場合によってその後の光の散乱の測定用に多様な分光光度計に適合する形状を有しており、少なくとも窓の領域又は所望の形状では内部スペースのある透明プラスチック又は透明ガラスを有している。キュベットの上部開口は遠心分離機での試料流体及び試料調製物の充填及び抜出のためのものであり、下部は、測定チャンバーの床に向かって下方に突出しており、上部よりも小さな断面を含んでいる。
2012521007.tif 000002
【特許請求の範囲】
【請求項１】
液体プローブの照射による吸収又は散乱の測定用のキュベットであって、
試料液体プローブを受け入れる内部スペースを有する実質的に円錐の上部本体であって、前記内部スペースは前記上部本体内に形成されており、該上部本体は、試料流体を充填及び抜出する開口を有する、上部本体と、移行部を介して前記上部本体に接続されている、測定容積用のより小さな本質的に箱状の下部本体とを含み、該キュベットには、互いに対向して位置する２対の平面平行窓が前記下部本体に設けられており、試料の測定に前記試料流体の厚さの様々な層に応じられるようにするために、一方の対の前記窓同士の距離は、もう一方の対の前記窓同士の距離とは異なっている、キュベット。
【請求項２】
遠心分離時に特定の汚染物質を取り除く媒体又は濾過要素を含むように、前記キュベットの内部に配置されるインサートをさらに含む、請求項１に記載のキュベット。
【請求項３】
前記下部本体の内容積は約５０マイクロリットルである、請求項１に記載のキュベット。
【請求項４】
前記２対の前記平行窓同士の距離の比は２：３である、請求項１に記載のキュベット。
【請求項５】
前記２対の平面平行窓のうちの一方の対の前記窓同士の距離は３ミリメートルである、請求項１に記載のキュベット。
【請求項６】
前記２対の平面平行窓のうちのもう一方の対の前記窓同士の距離は２ミリメートルである、請求項１に記載のキュベット。
【請求項７】
前記２対の平面平行窓のうちのもう一方の対の前記窓同士の距離は１ミリメートルである、請求項１に記載のキュベット。
【請求項８】
前記キュベットは少なくとも前記窓の領域ではＵＶ透過性である、請求項１に記載のキュベット。
【請求項９】
前記下部本体の少なくとも一部は可視光に対して透過性である、請求項１に記載のキュベット。
【請求項１０】
外来光及び迷光のうちの少なくとも一方に対する少なくとも１つの遮蔽材、並びにスクリーンをさらに含む、請求項１に記載のキュベット。
【請求項１１】
製造材料が、測定装置内で作用するように規定された任意の波長で動作するように開発されている、請求項１に記載のキュベット。
【請求項１２】
キュベットホルダーであって、
内部にスペースを画定している実質的に矩形の本体であって、その頂面に沿って開口を有し、該開口は内部にキュベットを嵌めるためのものである、本体を含み、該キュベットホルダーは、前記キュベットが該キュベットホルダー内に挿入されると該キュベットの窓と整合する一対の開口を含む、キュベットホルダー。
【請求項１３】
前記本体の頂面に沿って配置されているカラーをさらに含む、請求項１２に記載のキュベットホルダー。
【請求項１４】
アセンブリであって、
キュベットであって、試料液体プローブを受け入れる内部スペースを有する実質的に円錐の上部本体であって、前記内部スペースは該上部本体内に形成されており、該上部本体は、試料流体を充填及び抜出する開口を有する、上部本体と、移行部を介して前記上部本体に接続されている、測定容積用のより小さな本質的に箱状の下部本体とを含み、該キュベットには、互いに対向して位置する２対の平面平行窓が前記下部本体に設けられており、試料の測定に前記試料流体の厚さの様々な層に応じられるようにするために、一方の対の前記窓同士の距離は、もう一方の対の前記窓同士の距離とは異なっている、キュベット、及び
キュベットホルダーであって、内部にスペースを画定している実質的に矩形の本体であって、その頂面に沿って開口を有し、該開口は内部に前記キュベットを嵌めるためのものである、本体を含み、該キュベットホルダーは、前記キュベットが該キュベットホルダー内に挿入されると前記キュベットの窓と整合する一対の開口を含む、キュベットホルダー、
を含み、
前記キュベットは前記キュベットホルダー内に配置される、アセンブリ。
【請求項１５】
前記２対の前記平行窓同士の距離の比は２：３である、請求項１４に記載のアセンブリ。
【請求項１６】
前記２対の平面平行窓のうちの一方の対の前記窓同士の距離は３ミリメートルである、請求項１４に記載のアセンブリ。
【請求項１７】
前記２対の平面平行窓のうちのもう一方の対の前記窓同士の距離は２ミリメートルである、請求項１４に記載のアセンブリ。
【請求項１８】
前記キュベットは少なくとも前記窓の領域ではＵＶ透過性である、請求項１４に記載のアセンブリ。
【請求項１９】
前記キュベットの前記下部本体の少なくとも一部は可視光に対して透過性である、請求項１４に記載のアセンブリ。
【請求項２０】
前記キュベットホルダーの前記本体の頂面に沿って配置されているカラーをさらに含む、請求項１４に記載のアセンブリ。
【発明の詳細な説明】
【背景技術】
【０００１】
液体試料における照射の吸収を測定するのにキュベットが一般的に使用されている。キュベットの一例は特許文献１に記載されている。特許文献１では、キュベットは、互いに対向した一対の窓を含む実質的に矩形の箱のような形状を有しており、この一対の窓を介して、流体試料が内部に収容されているキュベットに光が通される。
【先行技術文献】
【特許文献】
【０００２】
【特許文献１】米国特許第６，２４９，３４５号
【発明の概要】
【０００３】
上記で説明したメカニズムのような従来のメカニズムは多様な欠点を被る。そのような欠点の１つは、従来のキュベットが、マイクロフュージ若しくは遠心分離機の内部に嵌まるのに有用でないか又は容易に嵌まるように構成されていないままで、キュベット内に入れられた液体試料における照射の吸収及び／又は光の散乱の測定に使用されていることである。
【０００４】
本発明の実施の形態はそのような欠点を大幅に克服しており、上部本体がマイクロフュージ又は標準遠心分離機に挿入されるように設計されていると共に、下部分が任意の市販の分光光度計、動的光散乱装置（光子相関分光計）又はゴニオメーター式機器又はネフェロメーターに嵌め込むように設計されているキュベットを提供する、メカニズム及び技法を提供する。
【０００５】
この開示において説明される種々の特徴、技法、構成等の各々を、独立して又は組み合わせて実行することができることに留意されたい。したがって、本発明は、多くの種々のやり方で具現及び考案されることができる。また、本明細書におけるこの概要のセクションは、本開示又は特許請求された本発明のすべての実施の形態及び／又は追加的な新規の態様を明記するわけではないことに留意されたい。代わりに、この概要は、種々の実施の形態の予備的な説明、及び従来の技法に勝る新規性の対応する点を提供するにすぎない。本発明のさらなる詳細、要素及び／又は可能な観点（置換）について、読み手は、以下でさらに説明されるような本開示の「発明を実施するための形態」のセクション及び対応する図面に向けられる。
【０００６】
上記の記載は、添付の図面に例示されるような、本発明の好適な実施形態の以下のより詳細な記載から明らかとなり、図面中、同様の参照符号は種々の図全体を通じて同じ部分を指している。図面は必ずしも縮尺通りではなく、代わりに本発明の原理を例示することに重点が置かれている。
【図面の簡単な説明】
【０００７】
【図１Ａ】本発明の実施形態によるキュベットの等角図である。
【図１Ｂ】本発明の実施形態によるキュベットの側面図である。
【図１Ｃ】本発明の実施形態によるキュベットの個々の切欠図である。
【図２Ａ】本発明の実施形態によるキュベットホルダーの等角図である。
【図２Ｂ】本発明の実施形態によるキュベットホルダーの側面図である。
【図２Ｃ】本発明の実施形態によるキュベットホルダーの個々の切欠図である。
【図３Ａ】本発明の実施形態によるキュベット及びホルダーのアセンブリの等角図である。
【図３Ｂ】本発明の実施形態によるキュベット及びホルダーのアセンブリの側面図である。
【図３Ｃ】本発明の実施形態によるキュベット及びホルダーのアセンブリの個々の切欠図である。
【発明を実施するための形態】
【０００８】
本発明は、マイクロフュージ又は標準遠心分離機での液体試料の調製を可能にするキュベットであって、下部分が液体試料における照射の吸収及び／又は光の散乱の測定に必要とされる光学特性を有して設計されているキュベットに関する。この装置の主要な目的は、市販の静的光散乱機器及び動的光散乱機器での光散乱分析用の試料を調製することである。例えば紫外分光法、蛍光分光法及び蛍光相関分光法による他のタイプの分光装置における用途も存在する。キュベットの光学的に透明な部分は分光観測部分が実質的に正方形であるか又は矩形である。菱形、三角形及び五角形から、円形状として画定される無限数の窓まで挙げられるがこれらに限定されない、正方形及び矩形以外の他の形状にも対処している。
【０００９】
キュベットホルダーはまた、市販の測定装置に嵌める形状となっている外側部分と、キュベットの形状をぴったり収容する形状となっている内側部分とを有する必要がある。キュベットに取り外し可能に取り付けられるカバーに対処している。キュベットの内部の液体試料の精製を補助するのにインサートを用いることができる。インサートは、キュベットの円筒形の上部分に嵌め込まれ、汚染物質を取り除くすなわち試料部分を確保する付加的な濾過要素又は媒体を含む。
【００１０】
キュベットは、血漿試料及び病原体の分析に上記構成部材を該キュベットと組み合わせて使用することができる臨床診断において用いることができる。キュベットはまた、環境分析、高分子分析、細菌分析、ウイルス分析、小食細胞分析、タンパク質分析、抗体、金粒子及び任意に規定されたナノ粒子に限定されないがこれらにおいて使用するように設計されている。
【００１１】
図１Ａ乃至図１Ｃを参照すると、新式のキュベット１０であって、該キュベット１０の上部本体１２が実質的に円筒形状を有していると共にマイクロフュージ又は標準遠心分離機に挿入されるように設計されている、キュベット１０が示されている。キュベット１０の下部分１４は、実質的に矩形状を有しており、任意の市販の分光光度計、動的光散乱装置（光子相関分光計）又はゴニオメーター式機器又はネフェロメーター等に嵌め込むように設計されている。キュベット１０は、カバー等を取り付ける開口のねじ部１６をさらに含む。
【００１２】
キュベット１０は、互いに対向して位置する２対の平面平行窓１８が下部本体１４に設けられており、試料の測定に試料流体の厚さの様々な層に応じられるようにするために、一方の対の窓同士の距離はもう一方の対の窓同士の距離とは異なっている。
【００１３】
特定の実施形態では、キュベットの下部本体の内容積は約５０マイクロリットルである。別の特定の実施形態では、２対の平行窓同士間の距離の比は２：３である。２対の平面平行窓のうちの一方の対の窓同士間の距離は、およそ１ミリメートル乃至３ミリメートルである。キュベットは少なくとも窓の領域ではＵＶ透過性である。さらに、下部本体の少なくとも一部は可視光に対して透過性である。キュベットはまた、外来光及び迷光のうちの少なくとも一方に対する少なくとも１つの遮蔽材、並びにスクリーンを含むことができる。キュベットは、測定装置内で作用するように規定された任意の波長で動作するように開発されている材料から製造することができる。
【００１４】
次に図２Ａ乃至図２Ｃを参照すると、キュベットホルダー５０が示されている。ホルダー５０は内部にキュベット１０を収容するように設計されている。ホルダー５０は、上部端にカラー５２を有する実質的に矩形状の機構を含み、開口５４が内部に画定されている。キュベットがホルダー５０の開口に配置されて内部に支持される。ホルダー５０はまた、キュベットの内部の試料を検査するために光を通すことを可能にする一対の開口５６及び５８を対向する両側壁に有する。
【００１５】
次に図３Ａ乃至図３Ｃを参照すると、キュベット及びホルダーのアセンブリ１００が示されている。ここでは、キュベット１０がホルダー５０の開口内に配置されている。ホルダー５０の両側壁の開口５６及び５８がキュベット１０の窓１８と位置合わせされており、そのため、光を用いてキュベットの内部の試料を分析することができる。
【００１６】
上述したように、液体プローブの照射による吸収又は散乱の測定用のキュベットを提示及び記載している。キュベットは、試料液体プローブを受け入れる内部スペースを有する実質的に円錐の上部本体を特徴とし、内部スペースは上部本体内に形成されており、該上部本体は試料流体を充填及び抜出する開口を有している。キュベットは、移行部を介して上部本体に接続されている、測定容積用のより小さな本質的に箱状の下部本体をさらに含み、互いに対向して位置する２対の平面平行窓がこの下部本体に設けられており、試料の測定に試料流体の厚さの様々な層に応じられるようにするために、一方の対の窓同士の距離は、もう一方の対の窓同士の距離とは異なっている。
【００１７】
別記されない限り、「実質的に」という語の使用は、正確な関係、状況、構成、向き及び／又は他の特徴、並びに、開示されている方法及びシステムに著しく影響を及ぼさない限りにおいて当業者が理解するようなそれらの逸脱を含むものと解釈することができる。
【００１８】
本開示全体を通じて、名詞を修飾する冠詞「１つの」（"a" or "an"）の使用は、便宜上使用されているものと理解することができ、特に別記されない限り、修飾された名詞の１つ又は２つ以上を含むものと理解することができる。
【００１９】
他の何かに通じ、関連し、かつ／又は基づくように、記載され、かつ／又は他の方法では図により描かれる要素、構成部材、モジュール及び／又はそれらの部品は、本明細書において別に規定されない限り、直接的かつ／又は間接的なやり方でそのように通じ、関連し、かつ／又は基づくものと理解することができる。
【００２０】
方法及びシステムをそれらの特定の実施形態に関して記載してきたが、これらの方法及びシステムはそのように限定されない。上記の教示に鑑み、多くの変更及び変形が明らかとなるであろうことは明白である。本明細書において記載及び例示された部品の詳細、材料及び構成の多くのさらなる変更が当業者によってなされることができる。
【００２１】
本発明の好適な実施形態を説明してきたが、これらの概念を組み入れている他の実施形態を用いることができることは当業者には今や明らかとなるであろう。したがって、本発明は記載した実施形態に限定されるべきではなく、添付の特許請求の範囲の精神及び範囲によってのみ限定されるべきであると考えられる。
【図１Ｂ】
2012521007.tif 000003
【図１Ｃ】
2012521007.tif 000004
【図２Ａ】
2012521007.tif 000005
【図２Ｂ】
2012521007.tif 000006
【図２Ｃ】
2012521007.tif 000007
【図３Ａ】
2012521007.tif 000008
【図３Ｂ】
2012521007.tif 000009
【図３Ｃ】
2012521007.tif 000010
【図１Ａ】
2012521007.tif 000011
【国際調査報告】
2012521007.tif 000012
2012521007.tif 000013